(57)【特許請求の範囲】
【請求項１】
少なくとも送受話部が形成されたハンドセットを縦置き配置する電話機において、
電話機本体を形成する一方のケース及び他方のケースと、
前記一方のケースに保持される付勢手段と、
前記一対のケースの合体により支軸を中心に揺動自在に支持されると共に、前記付勢手段により付勢されて先端の突起部をケース外表面に突出させるフックプランジャとを備え、
前記フックプランジャの支軸を二面幅を有するように形成し、
前記一方のケースは係止部を有し、
前記フックプランジャを支持する係止部が、軸孔と、該軸孔に連通し且つ前記支軸の二面幅と略一致する溝幅を有した挿入溝とで軸受を形成し、
前記フックプランジャが、ケース合体前に、前記付勢手段でフックプランジャを付勢させながら前記支軸を前記挿入溝より前記軸孔に嵌入させて、前記先端の突起部がケース外表面より突出するように前記付勢手段により付勢されることにより前記一方のケース又は他方のケースに仮保持されることを特徴とする電話機。
【請求項２】
前記フックプランジャの先端の突起部を、前記ハンドセットを係止するハンドセット受けのフック爪に近接して突出形成したことを特徴とする請求項１記載の電話機。
【請求項３】
前記突起部が、前記ハンドセットの受話部周囲の下方先端面又は顎部が当接する二面を装備した段差形状に形成されたことを特徴とする請求項２記載の電話機。
【請求項４】
前記ハンドセットが前記電話機本体の水平又は垂直方向から移動して前記ハンドセット受けに係止させると、前記突起部に当接して該突起部を前記付勢手段の付勢力に抗して押圧することを特徴とする請求項３記載の電話機。
【請求項５】
前記付勢手段はばねであることを特徴とする請求項１ないし４いずれか１項に記載の電話機。
【発明の詳細な説明】
【０００１】
【発明の属する技術分野】
本発明は電話機に関し、更に詳しくは、送受話部が形成されたハンドセットを縦置き配置する電話機に関する。
【０００２】
【従来の技術】
従来の卓上型の電話機６０は、図１０に示すように、電話機本体６１にハンドセット６２がかけられ、ハンドセット６２でフックプランジャ６３の突起部６４を電話機本体６１内に押し下げている。
【０００３】
そして、電話機本体６１からハンドセット６２を外すと、フックプランジャ６３はばね６５のばね付勢力で支軸６６を中心に回動して突起部６４を電話機本体６１から突出させる。
このとき、フックプランジャ６３の突片６７でフォトセンサ（図示せず）の光路を遮ることにより、電話機６０は通話状態に切り替えられる。
【０００４】
係る電話機６０では、図１１に示すように、電話機本体６１が上ケース６１ａ及び下ケース６１ｂを合体させて組み立てられている。そして、電話機本体６１にフックプランジャ６３を組み込むには、例えば上ケース６１ａとフックプランジャ６３との間にばね６５を配置した状態に保ちながら上下ケース６１ａ、６１ｂを合体させ、フックプランジャ６３の支軸６６を上ケース６１ａの軸受６８と下ケース６１ｂの軸保持部６９とで挟着支持する。これにより、電話機６０は、図１０の状態に組み立てられる。
【０００５】
【発明が解決しようとする課題】
しかし、組立作業時、上記したように、上ケース６１ａとフックプランジャ６３との間にばね６５を配置しているため、ばね付勢力がフックプランジャ６３に作用して、フックプランジャ６３を軸受６８から飛び出させるようにするので、上ケース６１ａと下ケース６１ｂとの合体作業が行い難かった。
【０００６】
一方、ハンドセット２をハンドセット受けにかけたときに、ハンドセット２が正規の位置からずれた中途半端な状態に置かれた場合、フックプランジャ６３を電話機本体６１内に押し下げることができないことがあった。
このため、通信回線が切れないといった事態を生じることがある。
【０００７】
本発明は上記実情に基づいてなされたもので、フックプランジャの組み付けが容易にできて組立作業性を向上でき、また、ハンドセットをハンドセット受けにかけたときに、たとえ中途半端な係止状態にあってもフックプランジャを電話機本体内に押し込んで通信回線を確実に切断できる電話機を提供することを目的としたものである。
【０００８】
【課題を解決するための手段】
上記目的を達成するために本発明に係る電話機は、少なくとも送受話部が形成されたハンドセットを縦置き配置する電話機において、電話機本体を形成する一方のケース及び他方のケースと、前記一方のケースに保持される付勢手段と、前記一対のケースの合体により支軸を中心に揺動自在に支持されると共に、前記付勢手段により付勢されて先端の突起部をケース外表面に突出させるフックプランジャとを備え、前記フックプランジャの支軸を二面幅を有するように形成し、前記一方のケースは係止部を有し、前記フックプランジャを支持する係止部が、軸孔と、該軸孔に連通し且つ前記支軸の二面幅と略一致する溝幅を有した挿入溝とで軸受を形成し、前記フックプランジャが、ケース合体前に、前記付勢手段でフックプランジャを付勢させながら前記支軸を前記挿入溝より前記軸孔に嵌入させて、前記先端の突起部がケース外表面より突出するように前記付勢手段により付勢されることにより前記一方のケース又は他方のケースに仮保持されることを特徴とする。
【０００９】
この電話機では、フックプランジャの支軸が二面幅を有し、軸受の挿入溝が支軸の二面幅と略一致する溝幅を有して形成されるので、支軸を挿入溝より軸孔に嵌入後、フックプランジャを付勢手段により付勢して支軸を回動させることにより、支軸が軸孔より抜け出し不能に軸孔に係止される。よって、付勢手段により付勢されたフックプランジャを手で押さえていなくても、ケースに仮保持できて組立作業効率を向上できる。
【００１０】
また本発明に係る電話機は、前記フックプランジャの先端の突起部を、前記ハンドセットを係止するハンドセット受けのフック爪に近接して突出形成したことを特徴とする。
【００１１】
この電話機では、フックプランジャの突起部をハンドセットを係止するハンドセット受けのフック爪に近接配置しているので、特にハンドセットを縦置き配置した電話機では、フック爪にハンドセットをかけたときに、ハンドセットの当接を容易にしてフックプランジャを電話機本体内に確実に押し込むことができる。
【００１２】
また本発明に係る電話機は、前記突起部が、前記ハンドセットの受話部周囲の下方先端面又は顎部が当接する二面を装備した段差形状に形成されたことを特徴とする。
【００１３】
この電話機では、フックプランジャの突起部を、ハンドセットの異なる部位が当たる段差形状に形成したので、ハンドセットをフックプランジャに当接させたときに、ハンドセットのいずれかの面で突起部を押圧することができる。
【００１４】
また本発明に係る電話機は、前記ハンドセットが前記電話機本体の水平又は垂直方向から移動して前記ハンドセット受けに係止させると、前記突起部に当接して該突起部を前記付勢手段の付勢力に抗して押圧することを特徴としている。
【００１５】
この電話機では、ハンドセットを、電話機本体の水平又は垂直方向のいずれの方向からハンドセット受けに係止させた場合であっても、フックプランジャの突起部が押圧されるようにしているので、フックプランジャは常に電話機本体内に押し込まれる。また、発明に係る電話機は、前記付勢手段はばねであることを特徴としている。
【００１６】
【発明の実施の形態】
以下、本発明に係る電話機の好適な実施の形態を図面に基づいて詳説する。
図１は本発明に係る電話機の一実施の形態を示す分解斜視図、図２は図１の電話機におけるスタンドの分解斜視図、図３は図２のスタンドのハンドセット受けの要部を示し、ばねが圧縮状態の断面図、図４は図３のＡ部拡大図、図５は図２のスタンドのハンドセット受けの要部を示し、ばね圧縮が解除された状態の断面図、図６は図５のＢ部断面図、図７は本発明に係る電話機のハンドセットを外した状態の一部断面図、図８は本発明に係る電話機のハンドセットをハンドセット受けに係止させた状態の一部断面図、図９は本発明に係る電話機のハンドセットをハンドセット受けに中途半端に係止させた状態の一部断面図である。
なお、本実施の形態では、電話機として、ハンドセットを電話機本体に対して縦置き配置する新規なタイプについて説明する。
【００１７】
この実施の形態の電話機１は、図１に示すように、送話部２ａ及び受話部２ｂが形成されたハンドセット２と、このハンドセット２を縦置き配置する本体１０とを備える。
本体１０は、押釦操作部１１ａ及びモニター部１２ｂを形成したベース部１１と、ハンドセット２を縦置きに支持するためベース部１１に一体的に組み付けられるスタンド３０とからなる。なお、ベース部１１には不図示の通信回路基板が収容されている。
【００１８】
ベース部１１は、周壁１２の前側上端に所定の傾斜角で上がり勾配の操作面１３が形成されると共に、周壁１２の後側上端に所定の傾斜角で、操作面１３に連続した下り勾配の後面１４が形成された形態である。
操作面１３は矩形状の平面とされ、下端部１３ａから中央部にわたって形成した押釦操作部１１ａと、上端部１３ｂに形成したモニター部１２ｂとを装備している。
【００１９】
後面１４には、凹状に窪んだスタンド嵌合部１５が形成され、スタンド嵌合部１５の底面１６は水平になされている。この底面１６には、スタンド３０の組付作業性を良好にするために、後述するスタンド３０の係止爪３３を差込むための不図示の差込孔が透設されている。
つまり、スタンド３０の底部３１をスタンド嵌合部１５に嵌入して、底部３１の前端縁に突出形成した一対の係止爪３３を差込孔に差し込むことにより、スタンド３０がスタンド嵌合部１５に仮保持されるようになっている。
【００２０】
ベース部１１の底板には、ハンドセットコード６の接続端子６ａを接続するための不図示のモジュラー・ジャックが形成され、このモジュラー・ジャックに接続したハンドセットコード６が周壁１２の下方の通孔２２から引き出されるようになっている。また、ベース部１１の底板の後端近傍には、モジュラーコード２５の接続端子２５ａを接続するための不図示のモジュラー・ジャックが形成され、モジュラーコード２５がベース部１１の後側から引き出されるようになっている。
なお、ハンドセットコード６はハンドセット２とベース部１１とを接続し、モジュラーコード２５はベース部１１と不図示の外部モジュラー・ジャックとを接続する。
【００２１】
スタンド３０は、押釦操作部１１ａの操作面１３に対し所定角度で立設し、前面視において、ベース部１１の略中央部に配置されるようになっている。
スタンド３０は、一方のケース（前面ケース）３０ａと他方のケース（後面ケース）３０ｂとを合体させてなる底部３１が略矩形体状に形成されると共に、スタンド嵌合部１５より若干小さく形成されて、スタンド嵌合部１５に嵌合することができるようになっている。
この底部３１の前端には、既述したように一対の係止爪３３が突出形成されている。
【００２２】
さらに、スタンド３０の前面下方部位には、断面く字状に窪んでハンドセット２の送話部２ａを受け入れるための受入部３５が形成され、また、スタンド３０の前面上部には、受話部２ｂの顎部２ｅを載せるための角部３６が突出形成される。
【００２３】
この角部３６の上面３６ａには、ハンドセット２の係止孔２ｇ（図７参照）に係入して、ハンドセット２を掛止させるフック爪３８が突出形成されると共に、フック爪３８に近接した開口部３６ｂより突出したフックプランジャ４０の先端の突起部４１が出没自在に設けられている。
そして、受話部２ｂを、この角部３６の上面３６ａに支持させることで、突起部４１がスタンド３０内に押し込まれるようになっている。
【００２４】
突起部４１には、図３及び図５に示すように、段差形状を形成する二面４１ａ、４１ｂが装備されており、これらの面４１ａ、４１ｂは、角部３６上面３６ａに支持されるハンドセット２の取り付け具合がどのよう場合であっても、ハンドセット２の異なる部位の当接によって押圧されるようになっている。
【００２５】
ハンドセット２は、背面カバー３が略矩形状に形成され、下端部４に送話部２ａが、上端部５に受話部２ｂがそれぞれ形成された構成である。
送話部２ａの左右側面２ｃ、２ｄには、ハンドセットコード６の接続端子６ｂを接続可能にしたモジューラ・ジャック７ａ、７ｂがそれぞれ所定の傾斜角（例えば４５°）で下向きに取り付けられている。
【００２６】
この傾斜角は、ハンドセット２をスタンド３０に支持させた際、モジューラ・ジャック７ａ、７ｂと接続したハンドセットコード６が、ベース部１１との干渉を避けるために設定されたものである。
また、モジューラ・ジャック７ａ、７ｂが左右側面２ｃ、２ｄに設けられているので、ハンドセットコード６は電話機１の使用箇所に応じて左右いずれかの側を択一的に選択して接続できるようになっている。
【００２７】
スタンド３０は、図２に示すように、前面ケース３０ａと後面ケース３０ｂとを合体することで、フックプランジャ４０を揺動自在に支持する。スタンド３０の前面ケース３０ａの内壁面には、フックプランジャ４０を揺動自在に支持するための係止部４４及び円筒状のばね保持部４６が突設形成されている。
【００２８】
ばね保持部４６は、ばね４５を嵌入保持するもので、このばね４５は、図１に示すように、フックプランジャ４０の突起部４１をばね付勢して、突起部４１を開口部３６ｂからケース外表面に出没自在にする。
そして、スタンド３０は、フックプランジャ４０の支軸４３を後述する係止部４４の軸受に支持させて、フックプランジャ４０を、ばね保持部４６に嵌入したばね４５でばね付勢した状態にした後、前面ケース３０ａと後面ケース３０ｂとの合体により組み立てられる。
【００２９】
フックプランジャ４０は、図４に示すように支軸４３が一対の平坦面４３ａ、４３ａを対向配置した二面幅Ｗ１を有して形成されている。
一方、フックプランジャ４０を支持する係止部４４は、軸孔４４ａとこの軸孔４４ａに連通し、且つ、支軸４３の二面幅Ｗ１と略一致する溝幅Ｗ２（詳しくは、二面幅Ｗ１より僅かに大きい幅）の挿入溝４４ｂとによって軸受が形成されている。
【００３０】
よって、支軸４３は、平坦面４３ａ、４３ａが挿入溝４４ｂの壁面と対向するようにフックプランジャ４０の姿勢を保った状態にして挿入溝４４ｂに挿通することにより、軸孔４４ａに嵌入することができる。
なお、支軸４３が挿入溝４４ｂに挿通できるように、フックプランジャ４０の姿勢を保った状態では、図３に示すように、ばね４５は圧縮変形されている。
【００３１】
支軸４３を軸孔４４ａに嵌入した後、図５に示すように、ばね４５の圧縮変形を解除してフックプランジャ４０を回動させると、フックプランジャ４０の先端の突起部４１がスタンド３０の開口部３６ｂからケース外表面から突出する。
【００３２】
また、フックプランジャ４０が回動することにより、図６に示すように、支軸４３は挿入溝４４ｂと対向した平坦面４３ａ、４３ａが挿入溝４４ｂから外れるように回転する。これにより、こ支軸４３は、挿入溝４４ｂの溝幅Ｗ２より大きい軸径が挿入溝４４ｂとの連通部に位置して、軸孔４４ａからの抜け出しが不能にされる。
【００３３】
従って、フックプランジャ４０は手で支えていなくても、支軸４３を軸孔４４ａに嵌入させた状態にして、前面ケース３０ａ側に仮保持される。よって、スタンド３０の組立時、フックプランジャ４０を前面ケース３０ａに仮保持した状態で、後面ケース３０ｂを被着してケース同士を合体させることができる。
【００３４】
スタンド３０は、図１に示すように、その底部３１に形成した係止爪３３を、スタンド嵌合部１５に形成した不図示の差込孔に差し込んで、ベース部１１に仮保持した後、ベース部１１に固着して一体的に組み付けられる。
そして、電話機１は、ベース部１１とハンドセット２とをハンドセットコード６で接続して組み立てられる。
【００３５】
スタンド３０が一体に装備されると、図７に示すように、電話機１は、ハンドセット２を支持する角部３６がスタンド３０の前面上部に突出形成される。
そして、角部３６の上面３６ａには、ハンドセット２を掛止するフック爪３８が突出すると共に、このフック爪３８に近接して、フックプランジャ４０の突起部４１が出没可能に突設される。
【００３６】
以上の構成による電話機１では、図８に示すように、ハンドセット２の係止孔２ｇをフック爪３８に掛止することで、ハンドセット２はスタンド３０に確実に支持されるのであるが，この際、フックプランジャ４０の突起部４１をフック爪３８に近接配置しているため、ハンドセット２はその取り付け具合に係わらず、突起部４１への当接が容易になされて突起部４１をスタンド３０内に押し込みできる。
【００３７】
加えて、突起部４１は、ハンドセット２の受話部２ｂ周囲の下方先端面２ｆ又は顎部２ｅが当接する二面を装備した段差形状に形成されているので、図９に示すように、ハンドセット２が、フック爪３８を差込孔２ｇに完全に嵌め込まない中途半端な状態でハンドセット受けに置かれた場合でも、例えば、ハンドセット２の顎部２ｅがその第１面４１ａに当接し、あるいは、ハンドセット２の受話部２ｂ周囲の下方先端面２ｆがその第２面４１ｂに当接することによって、突起部４１を押圧することができる。
つまり、ハンドセット２はそのいずれかの面で突起部４１を押圧できて、通話回線を常時確実に切断することができる。
【００３８】
このように、突起部４１が段差形状の二面を装備しているので、ハンドセット２をハンドセット受けにかけたときに、ハンドセット２が突起部４１のいずれかの面に当接して、フックプランジャ４０をスタンド３０内に押し込むことができる。
【００３９】
また、ハンドセット２は、図７に示すように、電話機本体１０の水平方向（矢印ａ方向）又は垂直方向（矢印ｂ方向）のいずれの方向からハンドセット受けに係止させる場合であっても、段差形状の二面が装備された突起部４１に当接してフックプランジャ４０をスタンド３０内に押し込むことができる。
【００４０】
よって、スタンド３０の水平方向又は垂直方向のどちらの方向からハンドセット２をハンドセット受け用のフック爪３８に係止させても、フックプランジャ４０の突起部４１をハンドセット２で押圧することができる。このため、フック爪３８にハンドセット２をかけたときに、ハンドセット２でフックプランジャ４０をスタンド３０内に確実に押し込むことができる。
【００４１】
本実施の形態の電話機１によれば、ハンドセット２を電話機本体１０に対して縦置き配置する新規なタイプとして構成したので、従来の卓上型と比較して横幅寸法を短縮してコンパクトに形成できると同時に、ハンドセットを電話機本体の左右いずれの側からもとり易くしているので、例えば、パソコンに並設してパソコンの端末として利用するような場合に好適なものとなる。
【００４２】
なお、上記の実施の形態では、スタンド３０の組立時、フックプランジャ４０を前面ケース３０ａに仮保持させるように説明したが、これに限らないで、フックプランジャ４０を後面ケース３０ｂに仮保持させるようにすることもできる。
また、上記の実施の形態では、ハンドセット２を電話機本体１０に対して縦置き配置するタイプとして説明したが、本発明はこのような形態に限らす、従来の壁掛けタイプや卓上型にも適用できることは勿論である。
【００４３】
【発明の効果】
以上述べたように、本発明に係る電話機は、フックプランジャの支軸が二面幅を有するように形成し、軸受の挿入溝を支軸の二面幅と略一致する溝幅とした。
これにより、支軸を挿入溝より軸孔に挿通して回動させると、支軸の軸孔よりの抜け出しが阻止され、フックプランジャが仮保持された状態となる。従って、フックプランジャを手で押さえていなくても、ばね付勢されたフックプランジャを支持してケース同士を合体させることができるので、組立作業を容易に行うことができる。
【００４４】
また、フックプランジャの突起部が、ハンドセット受けのフック爪に近接配置されているので、ハンドセットは、ハンドセット受けにかけたときに突起部との当接が容易になされて突起部を確実に押圧できる。
また、フックプランジャの突起部が、ハンドセットの受話部周囲の下方先端面又は顎部が当接する二面を装備した段差形状に形成されているので、ハンドセットをフックプランジャに当接させたときに、ハンドセットのいずれかの面で突起部を押圧できる。
従って、フックプランジャを電話機本体内に確実に押し込むことができる。
しかも、ハンドセットが中途半端な状態でハンドセット受けに置かれた場合であっても、突起部のいずれかの面に当接して、突起部を押圧することができる。
【図面の簡単な説明】
【図１】本発明に係る電話機の一実施の形態を示す分解斜視図である。
【図２】図１の電話機におけるスタンドの分解斜視図である。
【図３】図２のスタンドのハンドセット受けの要部を示し、ばねが圧縮された状態での断面図である。
【図４】図３のＡ部拡大図である。
【図５】図２のスタンドのハンドセット受けの要部を示し、ばね圧縮が解除された状態での断面図である。
【図６】図５のＢ部断面図である。
【図７】本発明に係る電話機のハンドセットを外した状態の一部断面図である。
【図８】本発明に係る電話機のハンドセットをハンドセット受けにかけた状態の一部断面図である。
【図９】本発明に係る電話機のハンドセットをハンドセット受けに中途半端にかけた状態の一部断面図である。
【図１０】従来の電話機の断面図である。
【図１１】従来の電話機の分解断面図である。
【符号の説明】
１  電話機
２  ハンドセット
２ａ  送話部
２ｂ  受話部
２ｅ  受話部周囲の下方顎部
２ｆ  受話部周囲の下方先端面
３０  スタンド（電話機本体）
３０ａ  前面ケース（一方のケース）
３０ｂ  後面ケース（他方のケース）
３８  フック爪
４０  フックプランジャ
４１  突起部
４３  支軸
４４  係止部
４４ａ  軸孔
４４ｂ  挿入溝
Ｗ１  支軸の二面幅
Ｗ２  挿入溝の溝幅
【図１】
0004599756.tif 000002
【図２】
0004599756.tif 000003
【図３】
0004599756.tif 000004
【図４】
0004599756.tif 000005
【図５】
0004599756.tif 000006
【図６】
0004599756.tif 000007
【図７】
0004599756.tif 000008
【図８】
0004599756.tif 000009
【図９】
0004599756.tif 000010
【図１０】
0004599756.tif 000011
【図１１】
0004599756.tif 000012